(57)【要約】  イリドイド配糖体及び／又はその１種若しくはそれ以上の誘導体から誘導できるアグリコンを含む吸収性物品は、改善された流体保持特性を有する。【特許請求の範囲】
【請求項１】
以下の一般式：
【化１】
2010536414.tif 000005
（式中、Ｒ１は、ベンゾイルオキシル基、ヒドロキシル基、アセトキシル基、及びエトキシエトキシル基から選択され、Ｒ２は、ベンゾイルオキシメチル基、メトキシメチル基、ｔ−ブチルジメチルシリルオキシメチル基、カルボニル基、又はヒドロキシメチル基から選択される）
を有する、イリドイド配糖体及び／又はその１種若しくはそれ以上の誘導体から誘導できるアグリコンを含む吸収性物品。
【請求項２】
Ｒ１がヒドロキシル基であり、Ｒ２がヒドロキシメチル基である、請求項１に記載の吸収性物品。
【請求項３】
前記物品が、婦人衛生用吸収性物品から選択される、請求項１又は２に記載の物品。
【請求項４】
前記物品が、生理用ナプキン、パンティライナー、膣用タンポン、又は陰唇間パッドから選択される、請求項３に記載の物品。
【請求項５】
各吸収性物品あたり１〜２５００ｍｇ、又は各吸収性物品あたり２〜１０００ｍｇ、又は各吸収性物品あたり５〜５００ｍｇ、又は各吸収性物品あたり１０〜２５０ｍｇの合計濃度で、イリドイド配糖体及び／又はその１種若しくはそれ以上の誘導体から誘導できるアグリコンを含む、請求項１〜４のいずれか一項に記載の物品。
【請求項６】
月経液の漏れを低減するための、婦人衛生用吸収性物品における、以下の一般式：
【化２】
2010536414.tif 000006
（式中、Ｒ１は、ベンゾイルオキシル基、ヒドロキシル基、アセトキシル基、及びエトキシエトキシル基から選択され、Ｒ２は、ベンゾイルオキシメチル基、メトキシメチル基、ｔ−ブチルジメチルシリルオキシメチル基、カルボニル基、又はヒドロキシメチル基から選択される）
を有する、イリドイド配糖体及び／又はその１種若しくはそれ以上の誘導体から誘導できるアグリコンの使用。
【発明の詳細な説明】
【技術分野】
【０００１】
本発明は、イリドイド配糖体及び／又はその誘導体から誘導できるアグリコンを含んで、流体保持効果を高める吸収性物品に関する。
【背景技術】
【０００２】
個人衛生の吸収性物品は当該技術分野において既知である。典型的な例としては、生理用ナプキン、パンティライナー、成人用失禁物品、乳幼児用おむつ、ペーパータオル、トイレットペーパー、及び顔用ティッシュが挙げられる。このような物品は、人体から排出される体液及び他の排出物を吸収し保持するために使用される場合が多い。
【０００３】
流体は、通常、微細分散形、例えば典型的には微粒子形である、吸収性ゲル材料（ＡＧＭ）のような、超吸収性材料を含むことが多い、吸収性材料を含む吸収性要素内の吸収性物品に保持されることが多い。吸収性物品で用いることが当該技術分野において既知である従来の超吸収性材料は、典型的には、大量の液体を吸収し、中圧下でかかる吸収された液体を保持することができる、非水溶性、水膨潤性、ヒドロゲル形成架橋吸収性ポリマーを含む。広くは、従来の吸収性ゲル材料を含む吸収性物品は、一般的に、水及び尿に対して良好な吸収並びに保持特性を有するが、特定の液体に対する吸収及び保持を改善することに対する余地が依然として残っている。具体的には、経血、血液、血漿、膣分泌液、粘液、及び乳のようなタンパク質性又は漿液性体液は、効率的に吸収するのに多くの時間が必要であり、結果として、特に大量の流体の場合、これらは物品に保持されず、外側に漏れる場合がある。
【発明の概要】
【発明が解決しようとする課題】
【０００４】
それ故、場合によっては、大量の流体が排泄された場合でさえ、体液、特にタンパク質性体液の漏れを防ぐことができる吸収性物品を提供することが望ましい場合がある。
【課題を解決するための手段】
【０００５】
本発明は、イリドイド配糖体及び／又はその誘導体から誘導できるアグリコンを含む吸収性物品を提供する。本発明による吸収性物品は、改善された流体保持特性を有する。
【発明を実施するための形態】
【０００６】
本明細書で使用するとき、用語「吸収性物品」は、非常に広い意味であり、流体及び／又は排出物、特に体液／排泄物を、受容及び／又は吸収及び／又は収容及び／又は保持できる任意の物品を含む。本発明に関連する代表的な吸収性物品は使い捨て吸収性物品である。本明細書では、用語「使い捨て」は、洗濯、又は別の方法で物品として復元若しくは再利用することを目的としない物品（すなわち、それらは１回使用後に廃棄されることを目的とし、好ましくはリサイクルされるか、堆肥化されるか、又は別の方法で環境に適した方式で処理されることを目的とする）を記述するために使用される。本発明による典型的な使い捨て吸収性物品は、おむつ、外科用及び創傷用包帯、及び発汗パッド、失禁パッド、並びに、生理用ナプキン、パンティライナー、タンポン、陰唇間装置等のような婦人衛生用吸収性物品である。本発明で使用するのに好適な吸収性物品は、単一吸収層から、より複雑な多層構造まで、あらゆる種類の構造を含む。特定の吸収性物品は、流体透過性トップシート、流体不透過性及び／又は水蒸気及び／若しくは気体透過性であってよいバックシート、並びにその間に備えられる吸収性コアを含む。
【０００７】
本明細書で用いるとき、用語「使用」は、吸収性物品が実際に着用者の人体に接触したときを開始とする期間を指す。
【０００８】
本明細書では、「体液」とは、発汗、尿、月経液、膣分泌物等が挙げられるが、これらに限定されない、人体によって生成されるあらゆる流体を意味する。
【０００９】
用語「イリドイド配糖体から誘導できるアグリコン」は、イリドイド配糖体の加水分解から得ることができるアグリコン（すなわち、分子の加水分解から生じる配糖体分子の非糖部）を指し、他の合成経路から得られた、又は天然原料から直接抽出されたアグリコンを含む。
【００１０】
イリドイド配糖体は、アグリコンが「イリドイド」の部類に属する化合物である、すなわち、種々の植物及び動物でみられるモノテルペンである配糖体である。イリドイドは、通常、６員酸素複素環に縮合したシクロペンタン環を含む。
【００１１】
イリドイド配糖体から誘導できるアグリコンは、以下の一般式：
【化１】
2010536414.tif 000002
式中、Ｒ１は、ベンゾイルオキシル基、ヒドロキシル基、アセトキシル基、及びエトキシエトキシル基から選択され、Ｒ２は、ベンゾイルオキシメチル基、メトキシメチル基、ｔ−ブチルジメチルシリルオキシメチル基、カルボニル基、又はヒドロキシメチル基から選択される）を有する。
【００１２】
本発明で使用するための代表的なアグリコンは、ゲニピン、つまりＲ１がヒドロキシル基であり、Ｒ２がヒドロキシメチル基である、上記一般式によるイリドイド配糖体から誘導できるアグリコンである。
【化２】
2010536414.tif 000003
【００１３】
ゲニピンは、ゲニポシド、つまりクチナシ（Gardenia Jasminoides Ellis）の果実でみられる配糖体の加水分解産物である。
【００１４】
本発明は、イリドイド配糖体及び／又はその１種若しくはそれ以上の誘導体から誘導できるアグリコンを含む吸収性物品に関する。
【００１５】
本発明の吸収性物品は、天然若しくは合成吸収性繊維若しくは発泡体及び／又は１種若しくはそれ以上の超吸収性ポリマーを挙げることができる、体液を保持することを目的とする吸収性要素を含んでよい。いくつかの実施形態では、イリドイド配糖体及び／又はその１種若しくはそれ以上の誘導体から誘導できるアグリコンを、吸収性要素内に含んでもよい。これらの場合、イリドイド配糖体及び／又はその１種若しくはそれ以上の誘導体から誘導できるアグリコンは、吸収性要素内に微細分散する、及び／又は吸収性繊維若しくは吸収性要素の超吸収性ポリマー内に部分的に若しくは全て吸収される、又は吸収性要素上若しくは内にコーティング若しくは印刷する等の、当業者が利用可能な任意の方式で組み込むことができる。
【００１６】
いくつかの実施形態では、本発明による吸収性物品は、流体透過性トップシート、流体不透過性バックシート、及びトップシートとバックシートとの間に含まれる吸収性要素を含んでよい。これらの実施形態では、イリドイド配糖体及び／又はその１種若しくはそれ以上の誘導体から誘導できるアグリコンは、イリドイド配糖体及び／若しくはその１種若しくはそれ以上の誘導体から誘導できるアグリコンを、物品の使用時に体液と接触させる任意の方法で、トップシート、バックシート、及び吸収性要素のいずれか若しくはいずれか若しくは全てに含まれてよく、又はそれらの間に介在する追加要素内に含まれてもよい。
【００１７】
通常本発明による物品中に存在する、イリドイド配糖体及び／又はその１種若しくはそれ以上の誘導体から誘導できるアグリコンの量は、各吸収性物品あたり１〜２５００ｍｇ、又は各吸収性物品あたり２〜１０００ｍｇ、又は各吸収性物品あたり５〜５００ｍｇ、又は各吸収性物品あたり１０〜２５０ｍｇである。
【００１８】
いくつかの実施形態では、本発明による物品は、生理用ナプキン、陰唇間パッド、膣用タンポン、又はパンティライナーのような婦人衛生物品であってよい。
【００１９】
イリドイド配糖体及び／又はその１種若しくはそれ以上の誘導体から誘導できるアグリコンは、乾燥粉末で、液体中の懸濁液として、又は溶液として、を含む任意の形態で吸収性物品内に導入できる。
【００２０】
本発明による吸収性物品は、体液、具体的には、典型的には経血、血液、血漿、膣分泌液、粘液、若しくは乳のような、タンパク質性又は漿液性体液を保持する能力が向上している。
【００２１】
理論に束縛されるものではないが、イリドイド配糖体及び／又はその１種若しくはそれ以上の誘導体から誘導できるアグリコンは、体液中に存在するタンパク質の架橋剤として作用して、粘度を増加させる及び吸収性物品内の架橋された流体の保持を増加させると考えられる。
【実施例】
【００２２】
人工月経液の試料の粘度を、ゲニピンを５％ｗ／ｗ（これは、物品あたり２５０ｍｇに相当し、物品あたり５ｇの月経液の平均負荷であると考えられる）添加する前及び添加の３時間後に測定した。ＵＬアダプタを装備したブルックフィールド（Brookfield）ＤＶ  ＩＩＩ粘度計を用いて粘度を測定し、温度を２３℃に設定し、データをソフトウェア「レオカルク（Rheocalc）ｖ．１．１．」を用いて詳細に調査した。３０ｒｐｍ（剪断速度３６．７ｓ−１）に相当する）で測定を行った。
【００２３】
果は以下の通りである：
【表１】
2010536414.tif 000004
【００２４】
得られた結果は、ゲニピンが月経液の粘度を増加させ、それ故、月経液を吸収性物品内に封じ込めるのを補助することができることを示す。
【００２５】
ＡＭＦは、粘度、導電率、表面張力、及び外観について、確実にヒトの月経液に非常に類似するよう改変したヒツジの血液をベースとする流体である。ＡＭＦは、参照する、プロクター＆ギャンブル社（The Procter & Gamble Company）に譲渡された米国特許第６，４１７，４２４号の第１７段３３行から第１８段４５行に記載のように調製する。
【００２６】
本明細書に開示される寸法及び値は、列挙した数値に厳密に限定されるものとして理解されるべきではない。むしろ特に規定しない限り、こうした各寸法は、列挙した値とその値の周辺の機能的に同等の範囲のいずれをも意味するものである。例えば、「４０ｍｍ」として開示された寸法は、「約４０ｍｍ」を意味すると意図される。
【国際調査報告】
2010536414.tif 000007
2010536414.tif 000008
2010536414.tif 000009